(57)【要約】【課題】ヘリウムガスを満たした照射処理室の内で、連続搬送するシート材料を低エネルギーの電子線により効果的に滅菌処理でき、全体を小型化して経済的に製作できるシート材料の殺菌用電子線照射装置を提供する。【解決手段】シート材料１を搬送する搬送路に、電子線照射手段１２を備える照射処理室１０を設置している。照射処理室１０には、室内の圧力を検出する圧力検知器と室内にヘリウムガスを供給するヘリウムガス供給系統２０とを設け、しかも照射処理室１０のシート材料１の搬入口１１Ａ側及び搬出口１１Ｂ側にガス圧維持手段１９Ａ、１９Ｂを設けている。ヘリウムガス供給系統２０は、圧力検知器１８の設定圧力値に連動して動作するガス供給量の調整手段２４を備えており、これによって照射処理室１０内を大気圧より高い圧力のヘリウムガスで満たし、電子線照射手段１２からの電子線ＥＢでシート材料１を搬送移動中に滅菌処理する。【選択図】図１
2010064766.tif 000002
【特許請求の範囲】
【請求項１】
シート材料を搬送する搬送路に、電子線照射手段を備える照射処理室を設置し、前記照射処理室にヘリウムガスを満たした状態で前記電子線照射手段からの電子線によりシート材料を搬送中に滅菌処理するシート材料の殺菌用電子線照射装置において、前記照射処理室に室内の圧力を検出する圧力検知器と、室内をヘリウムガスで満たして大気圧より高い圧力にするヘリウムガス供給系統とを設けると共に、前記照射処理室に形成したシート材料の搬入口側及び搬出口側にガス圧維持手段を設け、前記ヘリウムガス供給系統は前記圧力検知器の設定圧力値に連動して動作するガス供給量の調整手段を備えて構成したことを特徴とするシート材料の殺菌用電子線照射装置。
【請求項２】
請求項１において、前記照射処理室はヘリウムガスと混合する清浄空気を供給する清浄空気供給系統を設けて構成したことを特徴とするシート材料の殺菌用電子線照射装置。
【請求項３】
シート材料を搬送する搬送路に、電子線照射手段を備える照射処理室を設置し、前記照射処理室にヘリウムガスを満たした状態で前記電子線照射手段からの電子線によりシート材料を搬送中に滅菌処理するシート材料の殺菌用電子線照射装置において、前記照射処理室に室内の圧力を検出する圧力検知器と、室内をヘリウムガスで満たして大気圧より高い圧力にするヘリウムガス供給系統と、室内に清浄空気を供給してヘリウムガスと混合する清浄空気供給系統と、前記照射処理室内を清浄化する際に用いる減圧排気処理系統とを設けると共に、前記照射処理室に形成したシート材料の搬入口側及び搬出口側にガス圧維持手段を設け、前記ヘリウムガス供給系統に前記圧力検知器の設定圧力値に連動して動作するガス供給量の調整手段を備えて構成したことを特徴とするシート材料の殺菌用電子線照射装置。
【請求項４】
請求項１から３のいずれかにおいて、前記照射処理室のシート材料の搬入口側及び搬出口側に、電子線による滅菌処理の停止時に動作するガス閉鎖手段を設けて構成したことを特徴とするシート材料の殺菌用電子線照射装置。
【発明の詳細な説明】
【技術分野】
【０００１】
本発明はシート材料の殺菌用電子線照射装置に係り、特にヘリウムガスを満たした照射処理室内で、電子線によりシート材料を搬送中に殺菌処理するのに好適なシート材料の殺菌用電子線照射装置に関する。
【背景技術】
【０００２】
一般に、流体状食品や飲料等を充填する樹脂フィルム袋は、供給装置から送り出されるシート材料を、成型工程において所定の形状に成型する。そして、シート材料は、供給装置から成型工程側に搬送するまでの間に、滅菌処理を施して雑菌付着のない無菌状態で後工程側に供給することが行われている。
【０００３】
通常、シート材料の滅菌処理は、薬剤を用いた装置を用いる設備が大掛かりとなり、しかも薬剤がシート材料に残留する恐れがあるため、薬剤を完全に除去せねばならない等の種々の問題が生じる。このため、シート材料の滅菌処理は、電子線照射装置の電子線照射手段からの電子線を活用し、電子線の照射でシート材料面を滅菌処理するようになってきている。
【０００４】
この種の殺菌用電子線照射装置の例として、搬送路中に二つの電子線照射手段を配置し、シート材料が両電子線照射手段間を搬送されるようにして、電子線照射手段からの電子線をシート材料の各面に照射させ、大気中での移動中に電子線で滅菌処理を行うことが提案されている（特許文献１参照）。
【０００５】
特許文献１の装置の電子線照射手段は、１００ｋＶ以下の電圧で電子線を加速し、発生した低エネルギーの電子線を使用している。この装置では、小型化でき、しかも搬送されてくるシート材料の両面を、連続して電子線により効果的に滅菌処理することができる。
【０００６】
ところが、電子線の滅菌処理を大気中で行う場合、電子線の飛程を考慮してある程度の大きなエネルギーを持つ電子線が発生する電子線発生源を備えた電子線照射手段が必要になる。また、大気中で電子線の照射をすると、大量のオゾンが発生するため、オゾンを除去する処理設備などを大掛かりにせねばならない問題が生じる。
【０００７】
このため、電子線の照射処理室内を１０−３Ｐａ〜０．１ＭＰａの減圧状態にし、搬送中の容器やシート材料等の処理対象物に対して、電子線照射手段から電子線を照射することにより、滅菌処理する電子線照射装置が提案されている（特許文献２参照）。
【０００８】
上記特許文献２の装置は、容器の滅菌処理の際は、照射処理室内に容器を配置してから、内部を所定値まで減圧してから電子線照射手段からの電子線で滅菌処理を行っている。また、シート材料の滅菌処理の際は、減圧状態を維持する照射処理室内に連続搬送し、移動中にシート材料の電子線による滅菌処理を行い、その後外部に搬出する。
【０００９】
その上、上記の装置では、シート材料の滅菌処理に使用する照射処理室は、内部を減圧状態に維持する必要上、シート材料の搬入口側及び搬出口側の照射処理室部分に、直列に予備室を設けている。各予備室は、シート材料が通過できる程度の微少なギャップを有する。例えば、隔壁とギャップローラーを多段に設けるラビリンスシール構造を用い、これにより照射処理室内の真空漏れを防いで所定の減圧状態が維持できるようにしている。
【００１０】
また、半導体ウェハ等に塗布されたレジストの硬化や、基板等に塗布された塗料やインキ、更には接着剤や保護用樹脂の乾燥や硬化をするために、電子線を照射して行う電子線照射処理装置も知られている（特許文献３参照）。
【００１１】
特許文献３の電子線照射処理装置は、照射対象物を配置する照射処理室内に、空気よりも低い密度のヘリウムガス等を流し、このガス雰囲気中で電子線源から照射対象物に対して電子線の照射を行わせている。これにより、電子線発生源からの電子線の到達距離を長く、かつ到達範囲を広くし、照射対象物の良好な処理ができるようにしている。
【００１２】
【特許文献１】特表２００４−５２４８９５号公報
【特許文献２】特開２００７−１１３９３６号公報
【特許文献３】特開２００１−１４３９８３号公報
【発明の開示】
【発明が解決しようとする課題】
【００１３】
上記特許文献２に記載の殺菌用電子線照射装置の如く、照射処理室の内部を１０−３Ｐａ〜０．１ＭＰａの減圧状態にすると、低いエネルギーの電子線を使用しても照射対象物を良好に滅菌処理できるため、電子線照射手段及び電源部を小型にして、装置全体を経済的に製作することができる。
【００１４】
しかし、装置の照射対象物が連続して移動するシート材料であると、照射処理室の内部を減圧状態に維持するには、その搬入口側及び搬出口側の減圧漏れ防止に工夫を要し、密封維持構造が複雑になる。また、照射処理室内が減圧状態にあるため、外部から照射処理室内に雑菌が混入する恐れがあり、特に搬出側から内部に雑菌が入って、滅菌処理後の無菌状態のシート材料に付着した場合には大きな問題となる。
【００１５】
また、特許文献３に記載の電子線照射処理装置の如く、照射処理室内にヘリウムガス等を流しながら、照射対象物に電子線の照射処理を行う場合、上記と同様に低いエネルギーの電子線を使用して照射処理できる。
【００１６】
しかし、この装置を連続して移動するシート材料の滅菌処理に適用するとなると、高価なヘリウムガス等を大量に使用しているので、ガス排気側での回収を適切に行い、再利用できるようにしない場合は、経済的に滅菌処理できない欠点が生ずることになる。
【００１７】
本発明の目的は、ヘリウムガスを満たした照射処理室の内で、連続搬送するシート材料を低エネルギーの電子線により効果的に滅菌処理でき、全体を小型化して経済的に製作できるシート材料の殺菌用電子線照射装置を提供することにある。
【課題を解決するための手段】
【００１８】
本発明のシート材料の殺菌用電子線照射装置は、シート材料を搬送する搬送路に、電子線照射手段を備える照射処理室を設置し、前記照射処理室にヘリウムガスを満たした状態で前記電子線照射手段からの電子線によりシート材料を搬送中に滅菌処理する際に、前記照射処理室に室内の圧力を検出する圧力検知器と、室内をヘリウムガスで満たして大気圧より高い圧力にするヘリウムガス供給系統とを設けると共に、前記照射処理室に形成したシート材料の搬入口側及び搬出口側にガス圧維持手段を設け、前記ヘリウムガス供給系統は前記圧力検知器の設定圧力値に連動して動作するガス供給量の調整手段を備えて構成したことを特徴としている。
【００１９】
好ましくは、前記照射処理室はヘリウムガスと混合する清浄空気を供給する清浄空気供給系統を設けて構成したことを特徴としている。
【００２０】
また、本発明のシート材料の殺菌用電子線照射装置は、シート材料を搬送する搬送路に、電子線照射手段を備える照射処理室を設置し、前記照射処理室にヘリウムガスを満たした状態で前記電子線照射手段からの電子線によりシート材料を搬送中に滅菌処理する際に、前記照射処理室に室内の圧力を検出する圧力検知器と、室内をヘリウムガスで満たして大気圧より高い圧力にするヘリウムガス供給系統と、室内に清浄空気を供給してヘリウムガスと混合する清浄空気供給系統と、前記照射処理室内を清浄化する際に用いる排気処理系統とを設けると共に、前記照射処理室に形成したシート材料の搬入口側及び搬出口側にガス圧維持手段を設け、前記ヘリウムガス供給系統に前記圧力検知器の設定圧力値に連動して動作するガス供給量の調整手段を備えて構成したことを特徴としている。
【００２１】
更に好ましくは、前記照射処理室のシート材料の搬入口側及び搬出口側に、電子線による滅菌処理の停止時に動作するガス密閉手段を設けて構成したことを特徴としている。
【発明の効果】
【００２２】
本発明のようにシート材料の殺菌用電子線照射装置を構成すれば、シート材料を搬送移動させる照射処理室内を、大気圧より高い圧力のヘリウムガスを満たした状態にできるので、照射処理室の内に雑菌が入る恐れもなくなるし、低エネルギーの電子線によりシート材料を効果的に滅菌処理することができる。
【００２３】
しかも、照射処理室に満たした高価なヘリウムガスの漏れを、シート材料の搬入口側及び搬出口側に設けるガス圧維持手段により少なくできるし、かつヘリウムガス供給系統に備える調整手段を圧力検知器の設定圧力に連動させた構成であるため、漏れ分を適切に補充できて滅菌処理が安価に行え、装置全体を小型化して経済的に製作することができる。
【発明を実施するための最良の形態】
【００２４】
本発明のシート材料の殺菌用電子線照射装置は、シート材料を搬送する搬送路に、電子線照射手段を備える照射処理室を設置し、前記照射処理室にヘリウムガスを満たした状態で前記電子線照射手段からの電子線により搬送中にシート材料を滅菌処理する。照射処理室には、室内の圧力を検出する圧力検知器と、室内をヘリウムガスで満たして大気圧より高い圧力にするヘリウムガス供給系統とを設けると共に、照射処理室のシート材料の搬入口側及び搬出口側にガス圧維持手段を設けている。しかも、ヘリウムガス供給系統に圧力検知器の設定圧力値に連動して動作するガス供給量の調整手段を備えている。
【実施例１】
【００２５】
以下、本発明のシート材料の殺菌用電子線照射装置を、図１に示す実施例で説明する。
本発明の装置に用いる照射処理室１０は、シート材料１を直線的に搬送移動する搬送路中に設置される。照射処理室１０は、この上面側及び下面側に電子線照射手段１２を取り付けてシート材料１の各面に対向するようにしており、また内部にシート材料１を搬送するフリーローラー１４、１５を設けている。
【００２６】
電子線照射手段１２は、内部に電子線発生源（図示せず）を備えて高圧直流電源と接続し、電子線発生源で発生させた電子線ＥＢを、破線矢印で示すように電子線ＥＢを照射窓１２Ａから照射し、搬送移動中のシート材料１の各面を連続して滅菌処理を実施する。各電子線照射手段１２内は、電子線が発生する所定の減圧状態とするため、それぞれ真空ポンプＶＰ等の減圧手段を有する排気系統１７を連結している。
【００２７】
この実施例では、照射処理室１０のシート材料１は、右側の前工程から搬送されてきて、フリーローラー１３で直角に上方に方向を変えられ、下方の搬入口１１Ａから照射処理室１０内に入り、右内部のフリーローラー１４で直角に折り曲げられて、略水平に左側に移動する構成である。
【００２８】
この後、シート材料１は照射処理室１０内を直線移動中に、各電子線照射手段１２からの電子線の照射を受けて滅菌処理され、左内部のフリーローラー１５で下方に直角に折り曲げられて、照射処理室１０の下方の搬出口１１Ｂから搬出され、続いて外部に配置したフリーローラー１６により直角に折れ曲げられて水平に方向を変え、左側の次の工程に送り出される構成としている。
【００２９】
本発明の照射処理室１０には、ヘリウムガス供給系統２０を設け、電子線ＥＢを照射する室内をヘリウムガスで満たし、予め定めた大気圧より少し高いヘリウムガス雰囲気にしている。ヘリウムガス供給系統２０は、ボンベ等のヘリウムガス供給源２１と、開閉弁２２やフィルタＦや流量計等の流量調整手段２３を有し、しかも電動弁の如きガス供給量の調整手段２４を備えている。
【００３０】
図１のヘリウムガス供給系統２０の例では、照射処理室１０内へのヘリウムガスの供給を速やかに行うため、シート材料１の搬入側及び搬出側に調整手段２４を備える分岐部を接続しているが、いずれか一方のみに接続しても使用できる。
【００３１】
また、照射処理室１０に室内の圧力を計測する圧力検知器１８や、ヘリウムガス検知部２５を設けている。圧力検知器１８は、照射処理室１０に室内の圧力が予め定めた設定圧力値になったとき、これに連動してヘリウムガス供給系統２０のガス供給量の調整手段２４を動作させるために使用される。
【００３２】
圧力検知器１８に応動するヘリウムガス供給系統２０に備える調整手段２４の動作により、照射処理室１０内を予め定めた大気圧より少し高いヘリウムガスの圧力値に常に維持することにより、電子線照射によるシート材料１の滅菌処理を良好に行うことができる。
【００３３】
上記した図１の例では、照射処理室１０の搬入及び搬出側の上部に、ヘリウムガス供給系統２０を分岐させて接続しているが、ヘリウムガスを照射処理室１０内に供給して、速やかに内部をヘリウムガスで均一に満たすことができるならば、いずれか一方のみとすることもできる。
【００３４】
しかも、照射処理室１０はシート材料１の搬入口１１Ａ及び搬出口１１Ｂ部分に、例えばラビリンス構造や小ローラや隔壁等を組み合せた構造のガス圧維持手段１９Ａ、１９Ｂを取り付け、シート材料２１の搬入及び搬出時に搬入口１１Ａ及び搬出口１１Ｂから、ヘリウムガスが極力漏れ出ない構造にしている。
【００３５】
このように、照射処理室１０にヘリウムガス供給系統２０を連結し、室内を大気圧より少し高いヘリウムガスに満たしていると、電子線照射手段１２から照射する電子線ＥＢは、減衰が大幅に軽減されて飛程が数倍も長くなる。このため、低い加速電圧で加速した低エネルギーの電子線ＥＢであっても、シート材料１の滅菌処理を効果的に行うことができるし、搬入口１１Ａ及び搬出口１１Ｂから室内に雑菌が入ることがなくなる。
【００３６】
また、照射処理室１０は清浄空気を供給する清浄空気供給系統３０を設けることができる。清浄空気供給系統３０は、空気供給源３１と開閉弁３２やフィルタＦや流量調整弁３３を有している。
【００３７】
この清浄空気供給系統３０から、照射処理室１０内に電子線でシート材料１を滅菌処理するのに支障のない程度の清浄空気を供給してヘリウムガスと混合すれば、高価なヘリウムガスの使用量を少なくすることができる。清浄空気は、ヘリウムガスに比べて重いため両者は上下に分離し易いから、循環手段により循環或いは攪拌手段で攪拌し、清浄空気が照射処理室１０の下側に溜まるのを防止する。
【００３８】
なお、照射処理室１０の一部に、ヘリウムガスのガス回収系統を設けておくことができる。ガス回収系統を設ければ、シート材料１の滅菌処理を長時間停止する必要が生じた時に、高価なヘリウムガスを回収しておき、滅菌処理開始前に再供給して満たすことで、ヘリウムガスガスの損耗を少なくすることもできる。
【００３９】
また、図１の照射処理室１０は、搬入口１１Ａ及び搬出口１１Ｂを下側に設けたものであるが、例えば照射処理室１０の左右の側面に形成してシート材料1を直線的に搬送、或いは据付けて使用する場所に応じて適宜変更することができる。この場合でも、左右の搬入口１１Ａ及び搬出口１１Ｂ部分には、同様にガス圧維持手段１９Ａ、１９Ｂを取り付けて使用する。
【実施例２】
【００４０】
次に、本発明の他の実施例として図２に示したシート材料の殺菌用電子線照射装置を説明する。この図２の例では、照射処理室１０の搬入口１１Ａ及び搬出口１１Ｂ付近に、開口閉鎖手段３４Ａ、３４Ｂを設け、また照射処理室１０に減圧排気処理系統３５を設けており、その他の点については上記図１の例と同様な構成としている。
【００４１】
開口閉鎖手段３４Ａ、３４Ｂは、例えば摺動可能に配置した閉鎖板とこの駆動機構から構成して用い、電子線によるシート材料１の滅菌処理の運転停止時に、搬入口１１Ａ及び搬出口１１Ｂを閉鎖し、ヘリウムガスの流出や照射処理室１０内への雑菌の侵入を防止する。
【００４２】
また、減圧排気処理系統３５は、圧力計３６や開閉弁３７や真空排気装置３８等を備えている。減圧排気処理系統３５は、真空計２６を設けた照射処理室１０内を清浄化する際に、単独で減圧動作或いは照射処理室１０内に清浄空気供給系統３０から清浄空気を供給しながら減圧動作し、ヘリウムガスを満たして行うシート材料１の滅菌処理が支障のなく行えるようにする。
【００４３】
この実施例においても、上記した実施例１と同様な効果を達成でき、しかも減圧排気処理系統３５を設けているため、照射処理室１０内を適宜清浄化できるし、また搬入口１１Ａ及び搬出口１１Ｂ付近に開口閉鎖手段３４Ａ、３４Ｂを設けたので、シート材料１の滅菌処理停止時に室内からのヘリウムガスの漏れ出しや、外部から室内へ雑菌等が侵入するのを効果的に防止できる。
【図面の簡単な説明】
【００４４】
【図１】本発明の一実施例であるシート材料の殺菌用電子線照射装置を示す概略縦断面図である。
【図２】本発明の他の実施例であるシート材料の殺菌用電子線照射装置を示す概略縦断面図である。
【符号の説明】
【００４５】
１…シート材料、１０…照射処理室、１１Ａ…搬入口、１１Ｂ…搬出口、１２…電子線照射手段、１２Ａ…照射窓、１８…圧力検知器、１９Ａ，１９Ｂ…ガス圧維持手段、２０…ヘリウムガス供給系統、２４…調整手段、３０…清浄空気供給系統、３５…減圧排気処理系統、ＥＢ…電子線。
【図１】
2010064766.tif 000003
【図２】
2010064766.tif 000004